(57)【要約】【課題】氷塊を位置決めし、氷塊を削る際に偏って揺れが発生することを防ぐカキ氷機を提供する。【解決手段】本体２１には、ベース２２及び切削台２５が配設され、駆動モータにより回転台２４を回転させると、回転台２４と切削台２５との間に設置した氷塊３を切削刃２５により切削する。切削台２５上には、位置規制群２６が配設される。切削台２３上には、位置規制群２６が配設される。位置規制群２６の内縁には、収容空間が形成されている。切削台２３には、多数の透孔が形成されている。各透孔には、位置規制群２６の位置規制部材２６１が嵌合され、各位置規制部材２６１の内縁に収容空間が形成される。各透孔の中心点は、切削台２３の中心点を中心とした同心円を描くように形成されている。透孔及び位置規制部材２６１の個数は３個又は４個以上である。透孔には、位置規制群２６の位置規制部材２６１の底端に形成された嵌合部が挿設される。【選択図】図３
0003191910.tif 000002
【実用新案登録請求の範囲】
【請求項１】
本体には、ベース及び切削台が配設され、駆動モータにより回転台を回転させると、回転台と切削台との間に設置された氷塊が切削刃により切削され、切削台上には、位置規制群が配設され、
切削台上には、位置規制群が配設され、位置規制群の内縁には収容空間が形成されていることを特徴とするカキ氷機。
【請求項２】
切削台には、多数の透孔が形成され、
各透孔には、位置規制群の位置規制部材が嵌合され、各位置規制部材の内縁に収容空間が形成されていることを特徴とする請求項１に記載のカキ氷機。
【請求項３】
各透孔の中心点は、切削台の中心点を中心とした同心円を描くように形成されていることを特徴とする請求項２に記載のカキ氷機。
【請求項４】
透孔及び位置規制部材の個数は３個又は４個以上であることを特徴とする請求項２に記載のカキ氷機。
【請求項５】
透孔には、位置規制群の位置規制部材の底端に形成された嵌合部が挿設され、各位置規制部材の内縁間には、同心円の収容空間が形成されていることを特徴とする請求項２に記載のカキ氷機。
【請求項６】
位置規制部材の底端に形成された嵌合部を透孔内へ挿設し、嵌合部上にねじ部が形成され、ねじ部には、切削台の底面側からナットが螺着され、位置規制部材を切削台へ固着したり枢着したりすることを特徴とする請求項２に記載のカキ氷機。
【請求項７】
切削台上には、多数の透孔が形成され、各透孔の中心点は、切削台の中心点を中心とした直径がそれぞれ異なる同心円を描く箇所に位置し、位置規制部材の嵌合により、内縁のサイズが異なる収容空間が形成されることを特徴とする請求項２に記載のカキ氷機。
【請求項８】
位置規制群は枠形スリーブであり、位置規制群を透孔へ嵌合させて氷塊を位置決めすることを特徴とする請求項１に記載のカキ氷機。
【請求項９】
位置規制群は、切削台に一体成形されることを特徴とする請求項１に記載のカキ氷機。
【請求項１０】
位置規制群は、切削台に溶接されることを特徴とする請求項１に記載のカキ氷機。
【考案の詳細な説明】
【技術分野】
【０００１】
本考案は、カキ氷機に関し、特に、氷塊を位置決めして氷塊を削る際に偏って揺れが発生することを防ぐカキ氷機に関する。
【背景技術】
【０００２】
図８及び図９に示すように、従来のカキ氷機１の本体１１上には、ベース１２及び切削台１３が配設され、駆動モータにより回転台１４が回転されると、回転台１４と切削台１３との間に設置された氷塊１５が切削刃１６により切削され、暑さを吹き飛ばす冷たいカキ氷を作ることができる。しかし一般の操作者は、冷凍庫から氷塊１５を取り出して切削台１３上へ直接置いた後、ハンドル１７を操作して回転台１４を下方へ変位させてから、回転台１４の固定爪により氷塊１５上を押圧して位置決めさせると、氷塊１５は回転台１４の回転に伴って回転するが、切削台１３上の中心位置から氷塊１５がずれると、カキ氷機１全体の安定性に悪影響を与える虞があった。氷塊１５が切削台１３上の中心位置からずれた状態で設置される場合、カキ氷機１を削る際に揺れて使用が危険となる上、切削刃１６が受ける力が不均一となり、切削刃１６の使用寿命が短くなる虞があった。
【考案の概要】
【考案が解決しようとする課題】
【０００３】
本考案の目的は、中心点が切削台の中心点を中心とした同心円を描くように多数の透孔が切削台に形成され、透孔には位置規制部材が嵌合され、収容空間を有する位置規制群に３個以上の位置規制部材を形成し、位置規制群により氷塊を位置決めして切削台の中心に氷塊を正確に設置し、切削を行う際に揺れが発生することを防いで切削刃が受ける力を均一にし、切削刃の摩耗を防いで切削の安全性を高めるカキ氷機を提供することにある。
本考案のもう一つの目的は、切削台上に大きさを調整することが可能な収容空間を形成し、切削台の中心点を中心とした直径サイズが異なる同心円を描くように透孔がそれぞれ形成され、所望の外径を有する同心円上の透孔に位置規制部材を配設し、氷塊の外径に等しい収容空間が形成され、外径が異なる氷塊をその中に位置決めして使用することができるカキ氷機を提供することにある。
【図面の簡単な説明】
【０００４】
【図１】本考案の一実施形態に係るカキ氷機を示す斜視図である。
【図２】本考案の一実施形態に係るカキ氷機を示す分解斜視図である。
【図３】本考案の一実施形態に係るカキ氷機に氷塊を置いたときの状態を示す斜視図である。
【図４】本考案の第１実施形態に係るカキ氷機を示す分解斜視図である。
【図５】本考案の第２実施形態に係るカキ氷機を示す斜視図である。
【図６】本考案の第２実施形態に係るカキ氷機を示す分解斜視図である。
【図７】本考案の第３実施形態に係るカキ氷機を示す斜視図である。
【図８】従来のカキ氷機を示す斜視図である。
【図９】従来のカキ氷機に氷塊を置いたときの状態を示す斜視図である。
【考案を実施するための形態】
【０００５】
図１及び図２を参照する。図１及び図２に示すように、本考案の一実施形態に係るカキ氷機２の本体２１上には、ベース２２及び切削台２３が配設され、駆動モータにより回転台２４が回転されると、回転台２４と切削台２３との間に設置された氷塊３が切削刃２５により切削される。切削台２３には位置規制群２６が配設されている。切削台２３上には、３個又は４個以上の複数の透孔２３１が形成され、各透孔２３１の中心点間は、切削台２３の中心点を中心とした同心円を描くように形成され、位置規制群２６は、それぞれ位置規制部材２６１の底端に設けられた嵌合部２６２が透孔２３１内に挿設される。位置規制部材２６１の個数は、３個又は４個以上であり、各位置規制部材２６１の内縁間に収容空間が形成される。
【０００６】
例えば、位置規制部材２６１の底端に設けられた嵌合部２６２が透孔２３１内に挿設され、位置規制部材２６１の個数が３個又は４個以上であり、各位置規制部材２６１の内縁間に、切削台２３の中心点と同心円を描く位置規制群２６が形成される。図３に示すように、氷塊の外径が位置規制群２６の収容空間に等しいか小さいため、氷塊が位置規制群２６の収容空間内に置かれると、氷塊の下端が位置規制群２６により位置決めされてモータを駆動して回転台２４を回転させると、ハンドル２７により回転台２４を下方へ変位させ、回転台２４の固定爪が氷塊３の上方に押圧されて位置決めされ、回転台２４の回転に伴い、氷塊３が切削刃２５により切削される。回転中の氷塊３は、位置規制群２６により位置決めされて揺れを防いでカキ氷機２の安定度及び安全性を維持し、位置規制群２６の中心点が切削台２３の中心位置にちょうど位置するため、各氷塊３を収容空間３３内に置いて切削する際、切削刃２５が受ける力が均一となり、切削刃２５の磨耗を減らして切削刃２５の使用寿命を延ばすことができる。
【０００７】
（第１実施形態）
図４を参照する。図４に示すように、本考案の第１実施形態に係るカキ氷機の切削台２３上には、多数の透孔２３１が形成されている。透孔２３１の個数は、３個又は４個以上であり、各透孔２３１の心点間は、切削台２３の中心点を中心とした同心円を描くように形成されている。位置規制群２６は、その位置規制部材２６１をそれぞれその底端の嵌合部２６２を透孔２３１内へ挿設し、嵌合部２６２上にねじ部２６３が形成されている。切削台２３の底面側からナット２６４をねじ部２６３に螺着させると、位置規制部材２６１が切削台２３に固着したり枢着したりすることができる。
【０００８】
（第２実施形態）
図５及び図６を参照する。図５及び図６に示すように、本考案の第２実施形態に係るカキ氷機は、外径が異なる氷塊を位置決めさせて使用することができる。第２実施形態の切削台２３上には、大きさを調整することが可能な収容空間が形成されている。切削台２３には、切削台２３の中心点を中心とした直径がそれぞれ異なる同心円を描くように多数の透孔２３１がそれぞれ形成され、所望の直径の同心円上の透孔２３１上に位置規制部材２６１を配設することにより、氷塊の外径に等しい大きさの収容空間を形成して外径のサイズに応じた大きさの氷を位置決めすることができる。
【０００９】
（第３実施形態）
図７を参照する。図７に示すように、本考案の第３実施形態に係るカキ氷機の位置規制群２６は、枠形スリーブであり、位置規制群２６を透孔２３１へ嵌合させて氷を位置決めすることができる。
【００１０】
また、切削台２３上には、位置規制群２６が配設される。位置規制群２６の内縁には、収容空間が形成される。位置規制群２６は、切削台上に溶接されるか一体成形される。
【符号の説明】
【００１１】
１      カキ氷機
２      カキ氷機
３      氷塊
１１    本体
１２    ベース
１３    切削台
１４    回転台
１５    氷塊
１６    切削刃
１７    ハンドル
２１    本体
２２    ベース
２３    切削台
２４    回転台
２５    切削刃
２６    位置規制群
２７    ハンドル
３３    収容空間
２３１  透孔
２６１  位置規制部材
２６２  嵌合部
２６３  ねじ部
２６４  ナット
【図１】
0003191910.tif 000003
【図２】
0003191910.tif 000004
【図３】
0003191910.tif 000005
【図４】
0003191910.tif 000006
【図５】
0003191910.tif 000007
【図６】
0003191910.tif 000008
【図７】
0003191910.tif 000009
【図８】
0003191910.tif 000010
【図９】
0003191910.tif 000011